(57)【要約】  ニードル・アセンブリ収納コンパートメント（２）のアレイを収容するように適合されたケースと、ケースに回転可能に配置され、開口部（８）を含むバンド（６）とを備えるニードル・アセンブリ収納デバイス（１）について述べられている。バンド（６）の回転により、その開口部（８）が所与の１つのニードル・アセンブリ収納コンパートメント（２）の開口部と位置合わせされる。【選択図】  図３
2014516661.tif 000002
【特許請求の範囲】
【請求項１】
ニードル・アセンブリ収納コンパートメント（２）のアレイを収容するように適合されたケースと、
ケースに回転可能に配置され、開口部（８）を含むバンド（６）とを備え、
バンド（６）の回転により、その開口部（８）が所与の１つのニードル・アセンブリ収納コンパートメント（２）の開口部と位置合わせされる、ニードル・アセンブリ収納デバイス（１）。
【請求項２】
ケースは、
一対の側壁（５）を備え、
バンド（６）は、両側壁（５）間に配置される、請求項１に記載のニードル・アセンブリ収納デバイス（１）。
【請求項３】
側壁（５）のそれぞれは、内側表面に形成された支承面を含み、バンド（６）は、側壁（５）のそれぞれの支承面に配置される、請求項２に記載のニードル・アセンブリ収納デバイス（１）。
【請求項４】
バンド（６）上に配置されたハンドル（９）
をさらに備える、請求項１〜３のいずれか１項に記載のニードル・アセンブリ収納デバイス（１）。
【請求項５】
ケースに形成され、所与の１つのニードル・アセンブリ収納コンパートメント（２）からバリア・ストリップ（１０）を受けるように適合されたスロット（１２）と、
スロット（１２）にカップリングされ、バリア・ストリップ（１０）を収納するように適合された容器（１１）と
をさらに備える、請求項１〜４のいずれか１項に記載のニードル・アセンブリ収納デバイス（１）。
【請求項６】
バンド（６）は、複数の保持ランプ（１５）を有する内側表面を含み、保持ランプ（１５）のそれぞれが、当接面（１８）を含む、請求項１〜５のいずれか１項に記載のニードル・アセンブリ収納デバイス（１）
【請求項７】
ケース内に配置されたフック（１６）をさらに備え、
バンド（６）が第１の回転方向に動き、当接面（１８）がフック（１６）に当接したとき、所与の１つの保持ランプ（１５）がフック（１６）を偏向させることができ、第２の回転方向にバンド（６）が動くのを防止する、請求項６に記載のニードル・アセンブリ収納デバイス（１）。
【請求項８】
フック（１６）が所与の１つの保持ランプ（１５）との係合を解除したとき、可聴フィードバックが生成される、請求項７に記載のニードル・アセンブリ収納デバイス（１）。
【請求項９】
バンド（６）は、所定のステップ距離だけ増分的に回転するように適合される、請求項１〜８のいずれか１項に記載のニードル・アセンブリ収納デバイス（１）
【請求項１０】
所定のステップ距離は、所与の１つのニードル・アセンブリ収納コンパートメント（２）の幅に実質的に等しい、請求項９に記載のニードル・アセンブリ収納デバイス（１）。
【請求項１１】
所定のステップ距離は、所与の１つのニードル・アセンブリ収納コンパートメント（２）の幅の半分に実質的に等しい、請求項９に記載のニードル・アセンブリ収納デバイス（
１）。
【発明の詳細な説明】
【技術分野】
【０００１】
本発明は、ペン注射器および自動注射器など注射デバイスと共に使用可能であるニードル・アセンブリ用のニードル・アセンブリ収納デバイスに関する。
【背景技術】
【０００２】
糖尿病のような病気を煩う患者は、注射を頻繁に自己投与しなければならない。注射を自己投与するのを容易にするために、自動注射器またはペン注射器のような注射デバイスが開発されている。一般に、そのような注射デバイスは使い捨て、または再使用可能なものであり、感染の危険性を最小限に抑えるために無菌の注射針アセンブリが補給される。
【０００３】
ニードル・マガジンまたはニードル・ディスペンサのような可搬のニードル・アセンブリ収納デバイスは、注射デバイスに取り付けられるように適合された複数のそのような無菌の注射針アセンブリを収納する。ニードル・アセンブリ収納デバイスは、薬剤の安全な自己投与を容易にするように注射デバイスを補う。さらに、ニードル・アセンブリ収納デバイスは、使用済み注射針アセンブリ用の廃棄容器として使用し、汚染された注射針によって誤って針を穿刺し負傷する危険性を低減することができる。
【０００４】
特許文献１、特許文献２、および特許文献３は、可搬のニードル・アセンブリ収納デバイスについて論じている。しかし、容易な輸送および複数のニードル・アセンブリへのアクセスを可能にし、使用済みニードル・アセンブリの廃棄を可能にするためのニードル・アセンブリ収納デバイスが依然として求められている。
【先行技術文献】
【特許文献】
【０００５】
【特許文献１】米国特許第７１３４５５０号
【特許文献２】米国特許第５８７３４６２号
【特許文献３】ＷＯ２００９／１３６１９３
【発明の概要】
【発明が解決しようとする課題】
【０００６】
本発明の目的は、ニードル・アセンブリを収納および配置するための改善された手段を提供することである。
【課題を解決するための手段】
【０００７】
例示的な一実施形態では、ニードル・アセンブリ収納デバイスは、ニードル・アセンブリ収納コンパートメントのアレイを収容するように適合されたケースと、ケースに回転可能に配置されたバンドとを備える。バンドは開口部を含み、バンドの回転により、その開口部が所与の１つのニードル・アセンブリ収納コンパートメントの開口部と位置合わせされる。
【０００８】
例示的な一実施形態では、ケースは、一対の側壁を備え、バンドは、側壁間に配置される。側壁のそれぞれは、内側表面に形成された支承面を含むことができ、バンドは、側壁のそれぞれの支承面に配置されてもよい。
【０００９】
例示的な一実施形態では、ハンドルがバンド上に配置される。
【００１０】
例示的な一実施形態では、スロットがケースに形成され、所与の１つのニードル・アセンブリ収納コンパートメントからバリア・ストリップを受けるように適合される。容器がスロットにカップリングされ、バリア・ストリップを収納するように適合されてもよい。
【００１１】
例示的な一実施形態では、バンドは、複数の保持ランプを有する内側表面を含み、保持ランプのそれぞれが、当接面を含む。フックをケース内に配置することができ、バンドが第１の回転方向に動き、当接面がフックに当接したとき、所与の１つの保持ランプがフックを偏向させることができ、第２の回転方向でバンドが動くのを防止する。フックが所与の１つの保持ランプとの係合を解除したとき、可聴フィードバックが生成されてもよい。
【００１２】
例示的な一実施形態では、バンドは、所定のステップ距離だけ増分的に回転するように適合される。所定のステップ距離は、所与の１つのニードル・アセンブリ収納コンパートメントの幅に実質的に等しいものであってもよい。他の例示的な実施形態では、所定のステップ距離は、所与の１つのニードル・アセンブリ収納コンパートメントの幅の半分に実質的に等しい。
【００１３】
本発明の他の適用可能性の範囲は、以下に示す詳細な説明から明らかになろう。しかし、詳細な説明および特定の例は、本発明の好ましい実施形態を示してはいるが、当業者にはこの詳細な説明から本発明の精神および範囲内で様々な変更および修正が明らかになるので、例として与えられているにすぎないことを理解されたい。
【００１４】
本発明は、以下に与えられている詳細な説明、および例示のために与えられているにすぎず、したがって本発明を限定しない添付の図面から、より十分に理解されることになる。
【図面の簡単な説明】
【００１５】
【図１】本発明の例示的な一実施形態によるニードル・アセンブリ収納デバイスの側面図である。
【図２】本発明の例示的な一実施形態によるニードル・アセンブリ収納デバイスの正面図である。
【図３】本発明の例示的な一実施形態によるニードル・アセンブリ収納デバイスの断面図である。
【図４】本発明の例示的な一実施形態によるニードル・アセンブリ収納コンパートメントのアレイの図である。
【図５】図４に示されているニードル・アセンブリ収納コンパートメントのアレイを有するニードル・アセンブリ収納デバイスの正面図である。
【発明を実施するための形態】
【００１６】
対応する部分は、すべての図において同じ符号でマークされている。
【００１７】
図１、図２、および図３は、それぞれ本発明によるニードル・アセンブリ収納デバイス１の例示的な一実施形態の側面図、正面図、および断面図を示す。ニードル・アセンブリ収納デバイス１は、ケースと、ケース内部に配置された複数のニードル・アセンブリ収納コンパートメントとを備える。ニードル・アセンブリ収納コンパートメント２は、共に連結されアレイを形成することができ、このアレイは、単一の射出成形プロセスによって製造することができる。ニードル・アセンブリ収納コンパートメント２のそれぞれは、針４が針サポート１４上に取り付けられた状態でニードル・アセンブリ３を収納するのに適している。ニードル・アセンブリ３は、注射デバイス、たとえばペン注射器、自動注射器などに脱着可能にカップリングされるように適合されてもよい。
【００１８】
例示的な一実施形態では、ケースは、２つの反対側の側壁５と、側壁５に対して第１の回転方向７で回転可能なバンド６とを備える。バンド６は、側壁５間の空間を囲み、ニードル・アセンブリ収納コンパートメント２の１つにアクセスできるように形作られサイズ設定された開口部８を有する。すなわち、開口部８がニードル・アセンブリ収納コンパートメント２の開口部内で位置合わせされたとき、注射デバイスをニードル・アセンブリ収納コンパートメント２内に挿入し、未使用のニードル・アセンブリと係合する、また使用済みニードル・アセンブリを投入することができる。例示的な一実施形態では、ケースは、円形または楕円形とすることができるが、当業者なら、ケースは任意の形状またはサイズであってよいことを理解するであろう。
【００１９】
例示的な一実施形態では、ハンドル９をバンド６またはケース上に配置し、ユーザがバンド６を回転させ、ニードル・アセンブリ収納コンパートメント２にアクセスできるようにすることができる。他の例示的な実施形態では、レバー、ホイール、またはクランクを使用し、バンド６を回転させてもよい。
【００２０】
例示的な一実施形態では、側壁５の少なくとも１つが、ケースに脱着可能に、またはヒンジ式でカップリングされてもよい。アレイ内のすべてのニードル・アセンブリ３が使用された後で、ケースを開くことができ、使用済みニードル・アセンブリ（または使用済みニードル・アセンブリのアレイ）を破棄することができる。次いで、未使用のニードル・アセンブリのアレイをケース内に挿入することができる。ケースは、側壁５の少なくとも１つをケースにロックするためのロックをさらに含んでもよい。
【００２１】
図１に示されているように、ケースは、ニードル・アセンブリ収納コンパートメント２から除去されたバリア・ストリップ１０を受けるためのスロット１２を含んでもよい。スロット１２は、（図３に示されている）ケース内に形成された容器１１内への開口部を提供することができる。バリア・ストリップ１０は、内部のニードル・アセンブリ３の無菌状態を維持するために、ニードル・アセンブリ収納コンパートメント２の開口部を覆って配置されてもよい。ニードル・アセンブリ収納コンパートメント２内のニードル・アセンブリ３を使用する前に、（たとえば、タブ１３を引くことによって）バリア・ストリップ１０を除去し、スロット１２内に挿入することができる。スロット１２は、たとえばユーザが、くず入れの場所を知らない場所にいるとき有用となり得る。
【００２２】
バンド６が第１の回転方向７で回転されたとき、ユーザは、開口部８がニードル・アセンブリ収納コンパートメント２の開口部の上を移動するのを見ることになる。開口部８がニードル・アセンブリ収納コンパートメント２の開口部と位置合わせされたとき、バリア・ストリップ１０のタブ１３を露出することができ、ユーザは、バリア・ストリップ１０を手で除去することができる。他の例示的な実施形態では、除去フックが、開口部８に隣接してバンド６上に配置されてもよい。バンド６が第１の回転方向７で回転されたとき、除去フックは、タブ１３と係合し、それを保持し、バンド６が引き続き回転したときタブ１３をニードル・アセンブリ収納コンパートメント２から分離することができる。
【００２３】
図３の例示的な実施形態に示されているように、ニードル・アセンブリ収納コンパートメント２のアレイは、連続するニードル・アセンブリ収納コンパートメントの開口部が反対方向に面するように構成されてもよい。たとえば、各ニードル・アセンブリ収納コンパートメント２は、ニードル・アセンブリ３の針サポート１４を受けるための円筒形部分と、円筒形部分から延びる、針４を入れるための円錐形部分とを有することができる。図３に示されている例示的な実施形態では、連続するニードル・アセンブリ収納コンパートメント２の円錐形部分が互いに当接し、１つ置きのニードル・アセンブリ収納コンパートメントの円筒形部分が互いに当接する。この例示的な配向では、ニードル・アセンブリ収納コンパートメント２が同じ方向に面するように配向された場合よりケーシングを短く、持ち歩きやすいものにすることができる。
【００２４】
例示的な一実施形態では、バンド６を側壁５に対して回転させ、開口部８を所与の１つのニードル・アセンブリ収納コンパートメントの開口部と位置合わせすることができる。側壁５のそれぞれは、トラックを有し１つまたはそれ以上のコネクタが形成された内側表面を含むことができる。トラックは、バンド６の側方縁部のための支承面を提供する隆起または突起として形成されてもよい。バンド６がケース上に配置されたとき、側壁５上のトラックは、バンド６を支持するための支承面を提供し、バンド６が側壁５に対して回転することを可能にすることができる。コネクタは、側壁５を接続するために使用することができる。たとえば、一方の側壁５が雄コネクタを含んでもよく、他方の側壁５が雌コネクタを含んでもよい。例示的な一実施形態では、コネクタは、側壁５上のトラックの内部に配置される。
【００２５】
例示的な一実施形態では、バンド６は、第１の回転方向７でのみ回転可能とすることができる。バンド６の内側表面は、複数の保持ランプ１５を含むことができ、保持ランプ１５のそれぞれは、バンド６を第１の回転方向とは反対の第２の回転方向で回転させようと試みた場合、フック１６に当接するように適合される。連続する保持ランプ１５間の距離は、ニードル・アセンブリ収納コンパートメント２の幅に実質的に等しい（また、特にニードル・アセンブリ収納コンパートメント２の開口部の幅に実質的に等しい）ものであってもよい。フック１６は、ケース内で、たとえば一方の側壁５の内側表面からケースの内部に突出することによって、弾性的に配置されてもよい。バンド６が第１の回転方向７で回転されたとき、保持ランプ１５の傾斜面（angular face）１７がフック１６と係合し、フック１６を偏向させ、保持ランプ１５が通過することを可能にする（その後、フック１６は、その元の、偏向していない位置に戻る）。保持ランプ１５がフック１６を通過するとき、たとえばフック１６が保持ランプ１５の傾斜面１７を係合解除するとき、可聴フィードバック（たとえば、「パチン」または「カチッ」音）がもたらされてもよい。バンド６が第２の回転方向で回転された場合、保持ランプ１５上の当接面１８がフック１６に当接し、バンド６が第２の回転方向でそれ以上回転されるのを防止する。第２の回転方向での回転を防止することにより、ニードル・アセンブリ収納コンパートメントに戻った使用済みニードル・アセンブリをユーザが再使用するのを防止することができる。
【００２６】
バンド６は、所定のステップ距離だけ回転するように構成されてもよい。例示的な一実施形態では、このステップ距離は、ニードル・アセンブリ収納コンパートメント２の幅に実質的に等しい（また、特にニードル・アセンブリ収納コンパートメント２の開口部の幅に実質的に等しい）ものであってもよい。この例示的な実施形態では、このステップ距離は、バンド６上に形成された連続する保持ランプ１５間の距離に対応する。他の例示的な実施形態では、このステップ距離は、ニードル・アセンブリ収納コンパートメント２の幅の半分に実質的に等しい（また、特にニードル・アセンブリ収納コンパートメント２の開口部の幅の半分に実質的に等しい）ものであってもよい。この例示的な実施形態では、ユーザは、使用済みニードル・アセンブリを、連続するニードル・アセンブリ収納コンパートメントを部分的に遮ってもよいそのニードル・アセンブリ収納コンパートメント内に投入した後で、バンド６をステップ距離だけ回転させることができる。これは、使用済みニードル・アセンブリ内の針の露出を防止することができ、ニードル・アセンブリ収納コンパートメントを輸送するとき有用となり得る。
【００２７】
図４は、ニードル・アセンブリ収納コンパートメント２のアレイの他の例示的な実施形態を示す。この例示的な実施形態では、アレイは、２つの平面内に、互いにある角度で配置された連続するニードル・アセンブリ収納コンパートメント２を有する２次元のものであってもよい。たとえば、連続するニードル・アセンブリ収納コンパートメント２は、互いに４５度の角度で配置されてもよい。さらに、アレイは、２列のニードル・アセンブリ収納コンパートメント２から形成されてもよく、第１の列内の収納コンパートメント２は、（図３を参照して上述した例示的な実施形態の場合のように）第２の列内の収納コンパートメントに対して逆転されてもよい。
【００２８】
図５は、図４に示されているアレイの例示的な実施形態を収容するための、本発明によるニードル・アセンブリ収納デバイス１の例示的な一実施形態を示す。この例示的な実施形態では、開口部８は、たとえばニードル・アセンブリ収納コンパートメント２の２つの平面を収容するために、ニードル・アセンブリ収納コンパートメント２の開口部の幅より広くてもよい。さらに、バンド６は、ニードル・アセンブリ収納コンパートメント２の幅の半分に実質的に等しいステップ距離で回転可能とすることができ、それによりすべてのニードル・アセンブリ収納コンパートメント２にアクセスすることができる。
【００２９】
当業者なら、本明細書に記載のデバイスおよび／またはシステムならびに実施形態の様々な構成要素の修正（追加および／または除去）を、そのような修正およびそのあらゆる均等物を包含する本発明の完全な範囲および精神から逸脱することなしに加えることができることを理解するであろう。
【符号の説明】
【００３０】
１  ニードル・アセンブリ収納デバイス
２  ニードル・アセンブリ収納コンパートメント
３  ニードル・アセンブリ
４  針
５  側壁
６  バンド
７  第１の回転方向
８  開口部
９  ハンドル
１０  バリア・ストリップ
１１  容器
１２  スロット
１３  タブ
１４  針サポート
１５  保持ランプ
１６  フック
１７  傾斜面
１８  当接面
【図１】
2014516661.tif 000003
【図２】
2014516661.tif 000004
【図３】
2014516661.tif 000005
【図４】
2014516661.tif 000006
【図５】
2014516661.tif 000007
【国際調査報告】
2014516661.tif 000008
2014516661.tif 000009
2014516661.tif 000010